(57)【要約】【課題】電磁波遮断作用を有するカバーがかけられた書籍であっても好適にＩＣタグの情報を読み取る。【解決手段】書籍管理システム１０は、電磁波遮断作用を有するカバー１２ｄがかけられた書籍が配架１２される書棚１４と、書籍１２の内側に付されたＩＣタグ２４と、書棚１４の棚板１６に設置されたシート状アンテナ１８と、書籍１２の内側に挿入される導電性部材２６と、シート状アンテナ１８により読み取られたＩＣタグ２４の情報に基づいて、書籍１２を管理する管理装置２２とを備える。【選択図】図１
2016206838.tif 000002
【特許請求の範囲】
【請求項１】
電磁波遮断作用を有するカバーがかけられた書籍を管理する書籍管理システムであって、
前記書籍の内側に付されたＩＣタグと、
前記書籍の内側に挿入される導電性部材と、
前記ＩＣタグとの間で通信を行うアンテナと、
前記アンテナにより読み取られた前記ＩＣタグの情報に基づいて、前記書籍を管理する管理装置と、
を備えることを特徴とする書籍管理システム。
【請求項２】
前記導電性部材は、金属プレートまたは導電性フィルムであることを特徴とする請求項１に記載の書籍管理システム。
【請求項３】
前記ＩＣタグは、ＵＨＦ帯のＩＣタグであることを特徴とする請求項１または２に記載の書籍管理システム。
【請求項４】
前記ＩＣタグは、所定の通信処理を行うＩＣチップと、前記ＩＣチップの両側に位置するタグアンテナとを有し、
前記導電性部材は、その一部が前記ＩＣチップを除く少なくとも一方の前記タグアンテナと重なるよう前記書籍の内側に挿入されることを特徴とする請求項３に記載の書籍管理システム。
【請求項５】
前記導電性部材は、略矩形形状を有することを特徴とする請求項４に記載の書籍管理システム。
【請求項６】
前記導電性部材は、書籍の内側に貼付されることを特徴とする請求項１から５のいずれかに記載の書籍管理システム。
【請求項７】
前記アンテナは、前記書籍が配架される書棚に具備されることを特徴とする請求項１から６のいずれかに記載の書籍管理システム。
【請求項８】
前記アンテナは、前記書棚の棚板および／または背板に設置されたシート状アンテナを含んで構成されることを特徴とする請求項７に記載の書籍管理システム。
【請求項９】
前記導電性部材は、前記書籍が前記書棚に配架されるときに、前記書籍の内側に挿入されることを特徴とする請求項７または８に記載の書籍管理システム。
【請求項１０】
前記導電性部材は、前記書棚の棚板および／または背板に設置されることを特徴とする請求項９に記載の書籍管理システム。
【請求項１１】
前記導電性部材は、前記書棚の長手方向に沿ってスライド可能に設置されることを特徴とする請求項１０に記載の書籍管理システム。
【請求項１２】
利用者に対して予約書籍の受渡および貸出を行う予約棚システムであって、
請求項７から１１のいずれかに記載の書籍管理システムと、
前記管理装置の管理情報に基づいて、前記予約書籍の配架位置を利用者に提示する検索機と、
利用者が前記書棚から受け取った前記予約書籍の前記ＩＣタグの情報を読み取り、前記予約書籍の貸出処理を行う自動貸出機と、
を備えることを特徴とする予約棚システム。
【発明の詳細な説明】
【技術分野】
【０００１】
本発明は、ＩＣ（Integrated Circuit）タグを用いた書籍管理システムおよび予約棚システムに関する。
【背景技術】
【０００２】
近年、図書館では、従来のバーコード方式に替わり、書籍にＩＣタグを貼付して非接触方式のハンディリーダによる図書点検、自動貸出機を用いた利用者による図書貸出処理、およびゲートアンテナによる図書の無断持出防止の技術が導入されている。このようなＩＣタグの技術は、図書館側には図書館員の省力化および書籍の盗難防止、利用者側には貸出処理の迅速化、貸出資料の秘匿化のメリットがあり、普及が進んでいる。
【０００３】
さらにＩＣタグ化が進んだ図書館では、館内に予約図書コーナーを設け、予約図書を読取用のアンテナを設けた予約棚に配架し、利用者自身による予約図書の貸出処理を行ったり、貸出図書の返却時に読取用のアンテナを設けた返却機（返却仕分け機）を通すことで、返却処理および仕分けの自動化を行っている。
【先行技術文献】
【特許文献】
【０００４】
【特許文献１】特開２００９−１１０３２３号公報
【発明の概要】
【発明が解決しようとする課題】
【０００５】
書籍には、表表紙、裏表紙および背表紙を覆うようにカバーがかけられることが多いが、このカバーにアルミ蒸着紙が使用されている場合がある。アルミ蒸着紙は電磁波遮断作用を有するため、アルミ蒸着紙を用いたカバーがかけられた書籍中に貼付されたＩＣタグを読み取りできないおそれがある。
【０００６】
本発明はこうした状況に鑑みてなされたものであり、その目的は、電磁波遮断作用を有するカバーがかけられた書籍であっても、読取用のアンテナを備えた自動貸出機、ゲート、書棚、自動返却（仕分け）機によって好適にＩＣタグの情報を読み取ることのできる技術を提供することにある。
【課題を解決するための手段】
【０００７】
上記課題を解決するために、本発明のある態様は、電磁波遮断作用を有するカバーがかけられた書籍を管理する書籍管理システムである。この書籍管理システムは、書籍の内側に付されたＩＣタグと、書籍の内側に挿入される導電性部材と、ＩＣタグとの間で通信を行うアンテナと、アンテナにより読み取られたＩＣタグの情報に基づいて、書籍を管理する管理装置とを備える。
【０００８】
導電性部材は、金属プレートまたは導電性フィルムであってもよい。
【０００９】
ＩＣタグは、ＵＨＦ帯のＩＣタグであってもよい。
【００１０】
ＩＣタグは、所定の通信処理を行うＩＣチップと、ＩＣチップの両側に位置するタグアンテナとを有してもよい。導電性部材は、その一部がＩＣチップを除く少なくとも一方のタグアンテナと重なるよう書籍の内側に挿入されてもよい。
【００１１】
導電性部材は、略矩形形状を有してもよい。
【００１２】
導電性部材は、書籍の内側に貼付されてもよい。
【００１３】
アンテナは、書籍が配架される書棚に具備されてもよい。
【００１４】
アンテナは、書棚の棚板および／または背板に設置されたシート状アンテナを含んで構成されてもよい。
【００１５】
導電性部材は、書籍が書棚に配架されるときに、書籍の内側に挿入されてもよい。
【００１６】
導電性部材は、書棚の棚板および／または背板に設置されてもよい。
【００１７】
導電性部材は、書棚の長手方向に沿ってスライド可能に設置されてもよい。
【００１８】
本発明の別の態様は、利用者に対して予約書籍の受渡および貸出を行う予約棚システムである。この予約棚システムは、上述の書籍管理システムと、管理装置の管理情報に基づいて、予約書籍の配架位置を利用者に提示する検索機と、利用者が書棚から受け取った予約書籍のＩＣタグの情報を読み取り、予約書籍の貸出処理を行う自動貸出機とを備える。
【００１９】
なお、以上の構成要素の任意の組み合わせや、本発明の構成要素や表現を方法、装置、システムなどの間で相互に置換したものもまた、本発明の態様として有効である。
【発明の効果】
【００２０】
本発明によれば、電磁波遮断作用を有するカバーがかけられた書籍であっても、読取用のアンテナを備えた自動貸出機、ゲート、書棚、自動返却（仕分け）機によって好適にＩＣタグの情報を読み取ることができる。
【図面の簡単な説明】
【００２１】
【図１】本発明の実施形態に係る書籍管理システムを説明するための図である。
【図２】書籍管理システムに配架される書籍を示す図である。
【図３】本発明の別の実施形態に係る書籍管理システムを示す図である。
【図４】図４（ａ）〜図４（ｄ）は、ＩＣタグの読み取り実験の結果を示す図である。
【図５】別のＩＣタグの読み取り実験の結果を示す図である。
【図６】さらに別のＩＣタグの読み取り実験の結果を示す図である。
【図７】図７（ａ）〜図７（ｅ）は、さらに別のＩＣタグの読み取り実験の結果を示す図である。
【図８】本発明の実施形態に係る予約棚システムを説明するための図である。
【図９】予約棚システムにおける書棚の一部を示す図である。
【発明を実施するための形態】
【００２２】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００２３】
図１は、本発明の実施形態に係る書籍管理システム１０を説明するための図である。この書籍管理システム１０は、図書館等に設置されるものであり、特にアルミ蒸着紙等の電磁波遮断作用を有するカバーがかけられた書籍を配架するのに適したものである。
【００２４】
書籍管理システム１０は、書籍１２が配架される書棚１４と、書籍１２の内側に付されたＩＣタグ２４と、書籍１２の内側に挿入された導電性部材２６と、シート状アンテナ１８と、リーダ／ライタ２０と、管理装置２２とを備える。
【００２５】
図１には、書棚１４の１段のみが図示されている。書棚１４は、棚板１６と、背板１７とから構成される。棚板１６および背板１７の素材は特に限定されず、金属、合成樹脂、ガラス、木材等から形成されてよい。
【００２６】
本実施形態において、シート状アンテナ１８は、書棚１４の棚板１６上に設置されている。これに代えて、シート状アンテナ１８は、背板１７上に設置されてもよいし、棚板１６と背板１７の両方に設置されてもよい。
【００２７】
図２は、書籍管理システム１０に配架される書籍１２を示す。図２に示すように、書籍１２は、表表紙１２ａ、裏表紙１２ｂおよび背表紙１２ｃを覆うようにかけられたカバー１２ｄを有する。本実施形態において、このカバー１２ｄは、アルミ蒸着紙などの電磁波遮断作用を有する素材から成る。
【００２８】
書籍１２における表表紙１２ａの内側の見返し部１２ｅには、ＩＣタグ２４が貼付されている。このＩＣタグ２４には、それが貼付された書籍１２の情報（タイトル、管理番号等）が書き込まれている。ＩＣタグ２４は、細長形状を有し、そのほぼ中央部にＩＣチップを備え、ＩＣチップの両側にアンテナを備える。ＩＣタグ２４は、見返し部１２ｅにおけるのど部１２ｆの近傍に、長手方向がのど部１２ｆと平行になるように貼付されている。本実施形態では見返し部１２ｅにＩＣタグ２４を貼付したが、例えば扉部１２ｇに貼付されてもよいし、頁の間ののど部近傍に貼付されてもよい。このようにＩＣタグ２４を背表紙１２ｃに近いのど部１２ｆの近傍に貼付するのは、書棚１４に書籍１２が配架された状態で、ハンディリーダによる蔵書検索での認識性能向上を考慮したためである。
【００２９】
図１に戻るが、シート状アンテナ１８にはリーダ／ライタ２０が接続されている。リーダ／ライタ２０は、シート状アンテナ１８を介して書籍１２のＩＣタグ２４と通信する。シート状アンテナ１８とＩＣタグ２４との間の通信周波数は、例えばＵＨＦ帯（９００ＭＨｚ〜９５０ＭＨｚ）であってよい。
【００３０】
リーダ／ライタ２０は、管理装置２２に通信可能に接続されている。管理装置２２は、シート状アンテナ１８およびリーダ／ライタ２０を介して読み取られたＩＣタグ２４の情報に基づいて、書籍１２を管理する。すなわち、管理装置２２は、書籍１２が書棚１４に配架されているか否かを管理する。ＩＣタグ２４の情報が読み取れれば、該ＩＣタグ２４が付された書籍１２が書棚１４に配架されていると検知できる。逆に、ＩＣタグ２４の情報が読み取れなければ、該ＩＣタグ２４が付された書籍１２が書棚１４に配架されていないと検知できる。
【００３１】
本実施形態のように、書籍１２に電磁波遮断作用を有するカバー１２ｄがかけられている場合、シート状アンテナ１８とＩＣタグ２４とが通信できず、ＩＣタグ２４の情報を読み取れないおそれがある。
【００３２】
そこで、本実施形態に係る書籍管理システム１０では、このように電磁波遮断作用を有するカバー１２ｄがかけられた書籍１２であっても、ＩＣタグ２４の情報を読み取り可能とすべく、書籍１２の内側に導電性部材２６が挿入されている。導電性部材２６は、例えば矩形状の金属プレートや、透明誘電性フィルムであってよい。図２では、書籍１２の見返し部１２ｅと扉部１２ｇの間に導電性部材２６が挿入されている。
【００３３】
このように書籍１２の内側に導電性部材２６を挿入した場合、シート状アンテナ１８からの電磁波は、導電性部材２６を伝って、そのエッジから放出されてＩＣタグ２４のＩＣチップに到達する。同様に、ＩＣタグ２４からの電磁波は、導電性部材２６を伝って、そのエッジから放出されてシート状アンテナ１８に到達する。このようにして、書籍１２に電磁波遮断作用を有するカバー１２ｄがかけられている場合であっても、シート状アンテナ１８とＩＣタグ２４との間で通信可能となり、ＩＣタグ２４の情報を読み取ることができる。
【００３４】
導電性部材２６は、書籍の内側の例えば見返し部１２ｅや扉部１２ｇに貼付されてもよい。この場合、導電性部材２６として透明導電性フィルムが好適である。
【００３５】
あるいは、導電性部材２６は、書籍１２が書棚１４に配架される際に、人手により書籍１２の内側に挿入されてもよい。この場合、導電性部材２６として金属プレートが好適である。書籍１２に導電性部材２６が挿入された後、導電性部材２６が書籍１２から抜け出るのを防止するために、書籍１２をゴムバンド等で縛ってもよい。
【００３６】
図３は、本発明の別の実施形態に係る書籍管理システム３０を示す。図３に示す書籍管理システム３０では、複数の導電性部材２６が間隔を置いて棚板１６上に設置されている。各導電性部材２６は、Ｌ字型のブックエンド形状を有し、金属材料から成る。各導電性部材２６は、互いに垂直な第１面２５および第２面２７から成り、第２面２７がシート状アンテナ１８上に配置されることで、第１面２５がシート状アンテナ１８に対して垂直となるように立設されている。なお、各導電性部材２６は、第１面２５のみから構成されてもよい。
【００３７】
本実施形態に係る書籍管理システム３０では、書籍１２の間に導電性部材２６の第１面２５が挿入されるように、書籍１２を書棚１４に配架する。書籍管理システム３０では、一冊の書籍１２に対して、１つの導電性部材２６が用意される。導電性部材２６の間隔は、配架する書籍１２の厚さに応じて適宜設定される。また、複数のＬ字型の導電性部材２６が一体化されていてもよい。
【００３８】
書籍管理システム３０において、各導電性部材２６は、書棚１４の長手方向に沿ってスライド可能に設置されてもよい。導電性部材２６をスライド可能とするために、棚板１６にレール等が設けられてもよい。この場合、配架する書籍１２の厚さに応じて導電性部材２６の位置を調整できるため、より多くの書籍１２を書棚１４に配架できる。
【００３９】
本実施形態においても、シート状アンテナ１８からの電磁波は、導電性部材２６の第１面２５を伝って、そのエッジから放出されてＩＣタグ２４のＩＣチップに到達する。同様に、ＩＣタグ２４からの電磁波は、導電性部材２６の第１面２５を伝って、そのエッジから放出されてシート状アンテナ１８に到達する。このようにして、書籍１２に電磁波遮断作用を有するカバー１２ｄがかけられている場合であっても、シート状アンテナ１８とＩＣタグ２４との間で通信可能となり、ＩＣタグ２４の情報を読み取ることができる。
【００４０】
本実施形態では、書棚１４の棚板１６上に導電性部材２６を設置したが、導電性部材２６は背板１７上に設置されてもよい。
【００４１】
図４（ａ）〜図４（ｄ）は、ＩＣタグの読み取り実験の結果を示す。本実験では、ウィザード社のＵＨＦ帯ＩＣタグ（ＵｈＦＩＮＥ）を図２と同様に書籍１２ののど部近傍に貼付し、図１と同様にシート状アンテナ１８上に書籍１２を配置した。本実験では、導電性部材は書籍１２内に挿入していない。書籍１２に対するカバー１２ｄの位置を変えて、ＩＣタグ２４の読取の可否を実験した。カバー１２ｄは、アルミ蒸着紙から成るものを使用した。
【００４２】
図４（ａ）のように、書籍１２の表表紙および裏表紙を完全にカバー１２ｄで覆った場合、ＩＣタグ２４を読み取ることはできなかった。また、図４（ｂ）のように、書籍１２の表表紙および裏表紙の半分程度をカバー１２ｄで覆った場合も、ＩＣタグ２４を読み取ることはできなかった。
【００４３】
本実験ではさらに、図４（ｃ）および図４（ｄ）に示すようにカバー１２ｄの背表紙を覆う部分を取り除き、ＩＣタグ２４の読取実験を行った。図４（ｃ）のように書籍１２の表表紙および裏表紙を完全にカバー１２ｄで覆った場合、ＩＣタグ２４を読み取ることができた。一方、図４（ｄ）のように、書籍１２の表表紙および裏表紙の半分程度をカバー１２ｄで覆った場合は、ＩＣタグ２４を読み取ることはできなかった。
【００４４】
図４（ａ）および図４（ｂ）の実験結果から、書籍１２内に導電性部材を挿入していない場合、書籍１２の表表紙、裏表紙および背表紙がカバー１２ｄで覆われていると、ＩＣタグ２４を読取できないことが分かる。また、図４（ｃ）の実験結果から、カバー１２ｄの背表紙を覆う部分がＩＣタグ２４の読取の可否に大きく影響していることが分かる。
【００４５】
図５は、別のＩＣタグの読み取り実験の結果を示す。本実験でも、ウィザード社のＵＨＦ帯ＩＣタグ（ＵｈＦＩＮＥ）を書籍１２ののど部近傍に貼付し、シート状アンテナ１８上に書籍１２を配置した。本実験では、ＩＣタグ２４に対して略矩形形状の導電性部材の位置を変化させ、ＩＣタグ２４の読取の可否を実験した。カバー１２ｄは、アルミ蒸着紙から成るものを使用した。
【００４６】
図５に示すように、ＩＣタグ２４は、細長形状を有し、その中央部にＩＣチップ２４ａを備え、ＩＣチップ２４ａの両側にアンテナ２４ｂを備える。ＩＣタグ２４から外れた位置に導電性部材を配置した場合（図５の導電性部材２６ａ、２６ｅ）、ＩＣタグ２４を読み取ることはできなかった。また、１つの導電性部材が、ＩＣタグ２４のＩＣチップ２４ａをまたいで両側のアンテナ２４ｂと重なるように配置されると、ＩＣタグ２４の読取性能が低下することが分かる（図５の導電性部材２６ｃ）。また、ＩＣタグ２４のアンテナ２４ｂの一部に重なるように導電性部材を配置した場合（図５の導電性部材２６ｂ、２６ｄ）、ＩＣタグ２４を読み取ることができた。
【００４７】
本実験の結果から、ＩＣタグ２４の読取性能を向上するためには、ＩＣチップ２４ａの両側に位置するアンテナ２４ｂの少なくとも一方の一部に重なるように導電性部材を配置することが好適であることが分かる。また、ＩＣチップ２４ａに重なるように導電性部材を配置すると、ＩＣタグ２４の読取性能が低下することが分かる。
【００４８】
図６は、さらに別のＩＣタグの読み取り実験の結果を示す。本実験でも、ウィザード社のＵＨＦ帯ＩＣタグ（ＵｈＦＩＮＥ）を書籍１２ののど部近傍に貼付し、シート状アンテナ１８上に書籍１２を配置した。本実験では、カバー１２ｄに対する略矩形形状の導電性部材の長さを変化させ、ＩＣタグ２４の読取の可否を実験した。導電性部材２６は、図５で説明した実験結果に基づき、ＩＣチップ２４ａの両側に位置するアンテナ２４ｂの少なくとも一方の一部に重なるように配置した。カバー１２ｄは、アルミ蒸着紙から成るものを使用した。
【００４９】
図６に示すように、導電性部材の長さをカバー１２ｄの半分にした場合（図６の導電性部材２６ｆ）、ＩＣタグ２４を読み取ることはできなかった。一方、導電性部材の長さをカバー１２ｄの３／４以上にした場合（図６の導電性部材２６ｇ、２６ｈ）、ＩＣタグ２４を読み取ることができた。
【００５０】
本実験の結果から、ＩＣタグ２４の読取性能を向上するためには、導電性部材の長さをカバー１２ｄの３／４以上にすることが好適であることが分かる。
【００５１】
図７（ａ）〜図７（ｅ）は、さらに別のＩＣタグの読み取り実験の結果を示す。本実験では、エイブリィ・デニソン社のＵＨＦ帯ＩＣタグ（ＡＤ−２３３ｍ５）を図２と同様に書籍１２ののど部近傍に貼付し、図１と同様にシート状アンテナ上に書籍１２を配置した。本実験では、図５で説明した実験と同様に、ＩＣタグ２４に対して導電性部材の位置を変化させ、ＩＣタグ２４の読取の可否を実験した。カバー１２ｄは、アルミ蒸着紙から成るものを使用した。
【００５２】
本実験で使用したＩＣタグ２４も細長形状を有し、その中央部にＩＣチップ２４ａを備え、ＩＣチップ２４ａの両側にアンテナ２４ｂを備える。ＩＣタグ２４のアンテナ２４ｂの一部に重なるように導電性部材を配置した場合（図７（ａ）、図７（ｂ）、図７（ｅ））、ＩＣタグ２４を読み取ることができた。一方、ＩＣタグ２４のＩＣチップ２４ａに重なるように導電性部材を配置した場合（図７（ｃ）、図７（ｄ））、ＩＣタグ２４を読み取ることはできなかった。
【００５３】
図５で説明した実験結果と同様に、本実験の結果からも、ＩＣタグ２４の読取性能を向上するためには、ＩＣチップ２４ａの両側に位置するアンテナ２４ｂの少なくとも一方の一部に重なるように導電性部材を配置することが好適であることが分かる。また、１つの導電性部材が、ＩＣタグ２４のＩＣチップ２４ａをまたいで両側のアンテナ２４ｂと重なるように配置されると、ＩＣタグ２４の読取性能が低下することが分かる。
【００５４】
上記では、書棚１４に設けられたシート状アンテナ１８と書籍１２内のＩＣタグ２４との間で通信を行う場合について説明したが、例えば、自動貸出機、蔵書点検ハンディリーダ、ゲートアンテナ、自動貸出機、自動返却機、自動倉庫などに備えられたアンテナと、書籍内のＩＣタグとの間で通信を行う場合も、書籍内に導電性部材を挿入することでＩＣタグの情報を好適に読み取ることができる。
【００５５】
図８は、本発明の実施形態に係る予約棚システム１００を説明するための図である。この予約棚システム１００は、図書館の予約書籍受渡コーナーに設置され、利用者に対して予約書籍の受渡および貸出を行うためのシステムである。予約棚システム１００は、上述の書籍管理システム１０を利用しており、特にアルミ蒸着紙等の電磁波遮断作用を有するカバーがかけられた書籍に適している。
【００５６】
予約棚システム１００は、複数の書棚Ａ〜Ｋと、検索機１０２と、自動貸出機１０４と、ゲートアンテナ１０６とを備える。
【００５７】
図９は、予約棚システム１００における書棚の一部（書棚Ａ〜Ｄ）を示す。図９に示すように、各書棚は５段構成であり、各段の棚板上にシート状アンテナが設置されている。各書棚に配架された書籍の内側には、ＩＣタグが付されている。また、各書棚に配架された書籍の内側には、導電性部材が挿入されている。ここで、本実施形態で書籍に挿入される導電性部材は、図１および図２で説明したような、書棚から分離して書籍に挿入可能なタイプの導電性部材である。各段のシート状アンテナにはリーダ／ライタが接続されており、各段に配架されている書籍を管理装置で管理できるようになっている。
【００５８】
図８に戻るが、検索機１０２は、予約書籍受渡コーナーの外側（ゲートアンテナ１０６の外側）に配置される。検索機１０２は、管理装置の管理情報に基づいて、例えば予約書籍Ｘは書棚Ａの５段、予約書籍Ｙは書棚Ｆの３段というように、予約書籍の配架位置を利用者に提示する。検索機１０２で予約書籍の配架位置を確認した利用者は、ゲートアンテナ１０６を通過して、予約書籍受渡コーナーに入室する。
【００５９】
利用者は、検索機１０２の検索結果に基づいて、自ら予約書籍を書棚Ａ〜Ｋから受け取り、自動貸出機１０４にセットする。自動貸出機１０４は、書籍のＩＣタグとの間で通信を行うためのアンテナを備える。自動貸出機１０４は、アンテナを介してセットされた予約書籍のＩＣタグの情報を読み取り、予約書籍の貸出処理を行う。
【００６０】
ここで、本実施形態に係る予約棚システム１００では、書籍の内側に導電性部材が挿入されているため、予約書籍が電磁波遮断作用を有するカバーがかけられた書籍であっても自動貸出機１０４はＩＣタグを読み取ることができ、貸出処理をスムーズに行うことができる。
【００６１】
貸出処理の終了後、利用者は予約書籍を持ってゲートアンテナ１０６を通過する。ゲートアンテナ１０６は、通過中の書籍のＩＣタグと通信し、貸出処理が済んでいない書籍に対しては警報を発出する。
【００６２】
ここでも、本実施形態に係る予約棚システム１００では、書籍の内側に導電性部材が挿入されているため、予約書籍が電磁波遮断作用を有するカバーがかけられた書籍であってもゲートアンテナ１０６はＩＣタグを読み取ることができる。その結果、貸出処理が済んでいる書籍と済んでいない書籍を正確に判別することができ、適切に警報を発出することができる。
【００６３】
以上、実施の形態にもとづき本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が可能であることはいうまでもない。
【符号の説明】
【００６４】
１０  書籍管理システム、  １２  書籍、  １４  書棚、  １６  棚板、  １７  背板、  １８  シート状アンテナ、  ２０  リーダ／ライタ、  ２２  管理装置、  ２４  ＩＣタグ、  ２６  導電性部材、  ３０  書籍管理システム、  １００  予約棚システム、  １０２  検索機、  １０４  自動貸出機、  １０６  ゲートアンテナ。
【図１】
2016206838.tif 000003
【図２】
2016206838.tif 000004
【図３】
2016206838.tif 000005
【図４】
2016206838.tif 000006
【図５】
2016206838.tif 000007
【図６】
2016206838.tif 000008
【図７】
2016206838.tif 000009
【図８】
2016206838.tif 000010
【図９】
2016206838.tif 000011